(57)【要約】【課題】立ったままの姿勢或いは屈んだ姿勢でノート型パソコンを操作することが可能であること。【解決手段】ノート型パソコンを載置する平板１と、平板１の後端部に配したレール部材２ａと、その上を移動可能で、かつノート型パソコンの背面部に当接してこれを支持する固定片２ｂと、ノート型パソコンの前端部をディスプレイを開けた状態で係止する係止片２ｃと、これで係止したノート型パソコンを固定片２ｂに押し付けて保持するための係止ベルト２ｄと、両端の掛け金３ａを平板１の後端部左及び前端部右に係止して使用する肩ベルト３と、平板１の前端部両側に設けた前端被掛止部６に係止する掛け金５ａを両端に備えた腰ベルト５と、平板１の前端部の使用者の腰部に当接する部分に配した緩衝材７とで構成した。【選択図】　図１
0003098651.tif 000002
【実用新案登録請求の範囲】
【請求項１】
使用者がノート型パソコンを立ったままの姿勢又は屈んだ姿勢で操作可能なように、これを身体の前部に保持するためのノート型パソコン用パレットであって、
ノート型パソコンを載置する平板と、
前記平板上に前記ノート型パソコンを固定する固定手段であって、該平板の後端部に配したレール部材と、該レール部材上を左右に移動可能で、前記ノート型パソコンの背面部に当接してこれを支持する高さ調節自在な固定片と、前記ノート型パソコンのディスプレイを開けた場合の厚さで前端部を係止すべく、その係止厚さの調節を自在に構成した係止片と、該係止片で係止したノート型パソコンを前記固定片に押し付けて保持するための係止ベルトと、により構成した固定手段と、
前記平板を立った姿勢で略水平に保持するための肩ベルトであって、その両端の掛け金を、前記平板の四隅の内、後端部左及び前端部右に係止し、または後端部右及び前端部左に係止して使用する肩ベルトと、
前記平板の前端部を下腹部に固定するための腰ベルトであって、その両端に、該平板の前端部両側に設けた前端被掛止部に各々掛ける掛け金を備えた腰ベルトと、
前記平板の前端部の下腹部に当接する部分に配した緩衝材と、
を具備してなるノート型パソコン用パレット。
【請求項２】
前記係止ベルトを、前記係止片に結合するベルト端部と、これに連続し、前記平板の途中に前記レール部材と平行かつ略同一幅方向範囲に開口したスリット部を通じて該平板の裏面側に延長するベルト中央部と、前記平板の裏面側で該ベルト中央部の途中を係止してその長さを調節するアジャスタ部と、該アジャスタ部を通って開放されるベルト他端部と、該アジャスタ部を前記平板の幅方向に移動自在に支持する支持手段であって、該平板の裏面側後部に配した支持手段とで構成した請求項１のノート型パソコン用パレット。
【請求項３】
前記固定片に、前記ノート型パソコンの背面部との接触又は固定の際に該ノート型パソコンの背面部に破損が生じないように弾性部材を具備した請求項１又は２のノート型パソコン用パレット。
【請求項４】
前記固定片の上部途中に、対象のノート型パソコンの背面部に位置するコネクタ類固定用のいずれかの雌ねじと螺合可能な固定用雄ねじ部材を回動自在に取り付けた請求項１、２又は３のノート型パソコン用パレット。
【請求項５】
前記緩衝材を、その中央部が使用状態で前記平板の前端側に凹んだ状態となり得るように折曲してある棒状部材と、これに被覆した緩衝外装とで構成し、該緩衝材の両端を前記平板の前端部両側に突出させた二本の腕片に回動自在に結合した請求項１、２、３又は４のノート型パソコン用パレット。
【考案の詳細な説明】
【０００１】
【考案の属する技術分野】
本考案は、立ったままの姿勢又は屈んだ姿勢で、ノート型パソコンを操作することを可能にするノート型パソコン用パレットに関するものである。
【０００２】
【従来の技術】
工場や倉庫内等で、各種の製品管理業務やその他の業務を行なうために、ＰＤＡ（Ｐｅｒｓｏｎａｌ　Ｄｉｇｉｔａｌ　Ａｓｓｉｓｔａｎｔ）が用いられている。これは、多くは、手帳程の大きさで、データの入力をぺン入力可能にする等の簡易な入力手段を備え、かつ中央の管理用のパソコンその他のコンピュータとの情報の遣り取りを可能にしたものである。
【０００３】
このようなＰＤＡを用いれば、手帳程の大きさであるから立ったままの姿勢或いは屈んだ姿勢で各種の製品管理業務やその他の業務を行なうことは比較的容易にできることとなる。しかし、それに用いられているソフトウエアは概ね特別のものであって、パソコンで用いられるそれと比較すれば汎用性が低く、それ故、価格が大幅に高いのが欠点となっている。従って、本来なら前記ＰＤＡを導入して管理業務等を拡大したいという希望があっても価格が高いが故に採用しがたい場合も見られている。
【０００４】
これに対して、一般に汎用的に用いられているノート型パソコンは価格も手頃であって、組み込まれるソフトウエアも低価格であるという利点を有している。現在では、ノート型パソコンの小型、軽量、高性能化が進んでいるので、例えば前記ＰＤＡの代わりにノート型パソコンを用い、しかも無線ＬＡＮカード等を組み込み、工場内の各倉庫等から各種データを中央の管理用パソコンに送信することにより、各種データを総括して管理することも可能となり、管理業務の充実や拡大を図ることが可能となっている。
【０００５】
しかし、ノート型パソコンは、通常、居間や事務所などの机の上に置いて操作するものである。小型化が進んでいるとは言っても、工場や倉庫等でノート型パソコンを携帯して、立ったままの姿勢或いは屈んだ姿勢で操作することには難がある。
【０００６】
このように、工場や倉庫等で、ノート型パソコンを直接手に持って入力作業したのでは効率が悪いばかりか、万が一、これを落下させてしまい、破損させることも考えられる。従って上記の目的を達成するにはノート型パソコンを固定する何らかの冶具、ボード、トレイ、又はパレット等が必要である。そこでこのようなパソコンを携帯して作業を行なうことに関連して、以下に示すような技術が開示されている。
【０００７】
特許文献１では、「リアルタイムキネマティックＧＰＳ測量等に必要な測量機器を楽に持ち運ぶことができるＧＰＳ測量作業補助用冶具を提供する」という課題に対して、「２本のパイプの上部に、一対の肩載せ部、垂下部、背当て部からなる肩ホルダーを設け、該パイプと肩ホルダーにより首挿入部を形成する。また、パイプの下部には、パソコンを搭載するために、ファスナーテープを粘着した台座を設け、該パイプの下端部に設けたウエストベルトには、バッテリーケースを、作業員がバッテリーを背中側に携帯し得るように設け、また、パイプの中間部には胸当てを設けた」ＧＰＳ測量作業補助用冶具が開示されている。
【０００８】
このような冶具によれば、台座の上にパソコン等の測量機器を確実に固定し、立ったままの姿勢でパソコン操作を行なうことができるし、リアルタイムキネマティックＧＰＳ測量等に必要な測量機器を持ち運ぶこともできる。しかしながら次に示すような不具合が懸念される。
【０００９】
（１）冶具そのものが大型であり、胸当てや背当て部が付属しており重量もあることから機動性が乏しい。
（２）胸当てや背当て部の間に胸部が挟まれ、腰部はウエストベルトにより締め付けられているので、身体の動きが取れなくて疲れ易い。
（３）台座は２本のパイプに直角に固定されており、該２本のパイプの上部は胸当てや背当て部で、下部はウエストベルトで動かないように構成されていることからいわゆる直立不動の状態になるのでパソコンによる入力作業に不都合である。（４）冶具そのものの構成から、作業者は屈んだ姿勢では作業を行なうことができない。
【００１０】
また、特許文献２では、「パソコンの携行を容易、安全に行なえるうえ、変電所のような巡視点検において、パソコンを安定よく水平姿勢に保持して、使用者が立ったままでデータの打ち込みなどのパソコン操作が行なえるようにする」という課題に対して、「パソコンを収納するカバン本体の左右両側部の前端に、携行時に吊りベルトの両端の掛け金を係止する一対の前側被係止部を設けるとともに、左右両側の少なくとも一方の後端にパソコン使用時に吊りベルトの一端を掛け替えるための被係止部を設けて構成する」ラップトップ形パソコン携帯用カバンが開示されている。
【００１１】
このようなカバンであれば、パソコンの携行を容易かつ安全に行なえる上、変電所のような巡視点検において、パソコンを保持して使用者が立ったままでデータの打ち込みなどのパソコン操作が行なえる。しかしながら、次に示すような不具合が懸念される。
【００１２】
（１）パソコン使用時は、吊りベルトの両端部にある掛け金をカバン本体の後側係止部に掛止させるが、その状態ではパソコンが不安定でありパソコンの操作性が悪い。
（２）またこのパソコン携帯用カバンでは、パソコンの使用時に、そのキーボードがあまりに使用者の腹部に近接する部位に寄りすぎることになるため、そのキー操作が行い難い問題があり、更にディスプレーも同様に身体に近づきすぎることになるため見やすいとは云えない。
（３）作業者は立った状態で作業はできても、屈んだ状態ではそれが難しい。
（４）パソコンを収容した携帯カバンの重量は、パソコン携帯時は肩に掛かるが、パソコン使用時は首に掛かることとなる。従って長期時間の使用には首が疲れて無理がある。
【００１３】
工場や倉庫などの作業場内にノート型パソコンを携帯して、立ったままの姿勢或いは屈んだ姿勢でノート型パソコンが操作できるためには、用いる冶具の重量、大きさ、身体の動きが自由に取れるがどうか、屈んだ状態でもパソコンを操作することができるか等を考慮しなければならない。従って従来の技術ではいずれにしてもこれらの点で不具合があった。
【００１４】
【特許文献１】
特開平８―１５４６７号公報
【特許文献２】
実開平５―７６３２１号公報
【００１５】
【考案が解決しようとする課題】
本考案は、以上のような従来技術のパソコン使用時における問題点を解決し、軽量・小型であってこれを身体に装着しても身体の動きが自由に取れ、立ったままの姿勢或いは屈んだ姿勢でパソコンを操作することが可能であり、更に種々の平面寸法及び厚さ寸法のパソコンに対応してこれを確実に固定することが可能であり、加えてそのための固定手段がパソコンの端子やコネクタ類を覆い、その使用を妨げるようなことにならないノート型パソコン用パレットを提供することを解決の課題とするものである。
【００１６】
【課題を解決するための手段】
本考案の１は、使用者がノート型パソコンを立ったままの姿勢又は屈んだ姿勢で操作可能なように、これを身体の前部に保持するためのノート型パソコン用パレットであって、
ノート型パソコンを載置する平板と、
前記平板上に前記ノート型パソコンを固定する固定手段であって、該平板の後端部に配したレール部材と、該レール部材上を左右に移動可能で、前記ノート型パソコンの背面部に当接してこれを支持する高さ調節自在な固定片と、前記ノート型パソコンのディスプレイを開けた場合の厚さで前端部を係止すべく、その係止厚さの調節を自在に構成した係止片と、該係止片で係止したノート型パソコンを前記固定片に押し付けて保持するための係止ベルトと、により構成した固定手段と、
前記平板を立った姿勢で略水平に保持するための肩ベルトであって、その両端の掛け金を、前記平板の四隅の内、後端部左及び前端部右に係止し、または後端部右及び前端部左に係止して使用する肩ベルトと、
前記平板の前端部を下腹部に固定するための腰ベルトであって、その両端に、該平板の前端部両側に設けた前端被掛止部に各々掛ける掛け金を備えた腰ベルトと、
前記平板の前端部の下腹部に当接する部分に配した緩衝材と、
を具備してなるノート型パソコン用パレットである。
【００１７】
即ち、本考案の１のノート型パソコン用パレットは、基本的に、平板と、固定手段と、肩ベルト及び固定金具と、腰ベルト及び前端被掛止部と、緩衝材とから構成される。
【００１８】
前記平板は、ノート型パソコンを載置するのに適する板状の台であって、その寸法は対象のノート型パソコンのそれ合わせて適宜決定することができる。例えば、ノート型パソコンよりある程度大きいものにしておき、空いているスペースにバーコードリーダやテンキー等の周辺機器を置くようにしても良い。厚さや材質、色彩等は、使用する場所や環境に合わせて任意に決めることができる。
【００１９】
前記固定手段は、前記ノート型パソコンを前記平板の上に固定するものであって、前記のように、レール部材と固定片と係止片と係止ベルトとから構成されているものである。対象のノート型パソコンのサイズが変わったり厚さが変わったりしても、対応できるような構成である。
【００２０】
前記レール部材は、前記平板の後端部に螺子等の取付手段により取り付けられるものであり、前記固定片を左右に動かした上で固定することができるように構成されている。例えば、該レール部材として、断面形状が略Ｃ字型の金属製部材を用い、ナット部材をその長さ方向に移動自在にその内部に装入し、かつボルト部材を該固定片の外側からこれを通じて該ナット部材に挿入螺合して固定するような構成とすることができる。該固定片には高さ方向に長い長孔を形成しておき、ボルト部材はこれを通じて該ナット部材に螺合し得るようにしておくのが適当である。長孔のいずれの位置で固定するかにより、該固定片の高さを調節することができる。なおこのように固定片を高さ調節した上で、左右に動かして固定できるものであればこの構成に限らないのは云うまでもない。
【００２１】
前記固定片は、その上部内面に弾性部材を取り付けておき、これによってノート型パソコンの背面を当接支持する際に、該ノート型パソコンの該部位に損傷を生じさせないようにするのが適当である。
【００２２】
前記係止片は、前記ノート型パソコンのディスプレイを開けたときの厚さでその前端部を係止する部材であって、その厚さ調節が自在になるように構成されている。またノート型パソコンの前端部を係止する際に、該前端部が該係止片から外れないようにも構成されている。この係止片は、例えば、断面Ｌ字型の金属板を２枚用いてコ字型に形成し、相互に重なり合っている部分をボルト部材とナット部材とで締め付け固定すれば良い。相互に重なり合っている部分の該ナット部材が通過する孔を長孔に形成しておくことにより幅の調節が可能になる。このようにして、前記ノート型パソコンのディスプレイを開けたとき、機種により異なる厚さに対応しつつ係止することのできる係止片とすることができる。
【００２３】
前記係止ベルトは、前記係止片で係止したノート型パソコンを、該係止片を前記固定片側に引っ張ることにより該固定片に押し付け、両側から該係止片と該固定片で挟持状態とすることにより保持するものである。より詳しく述べれば、前記ノート型パソコンは、以上のように、前記平板上で前記固定片と前記係止片との間に挟持されることとなるものであるが、前記固定片は前記レール部材に固定されているので、前記係止片に該係止ベルトを取り付け、該係止ベルトにより該係止片を該固定片側に引っ張ることにより前述の押し付け作用を持たせている。該係止ベルトの材質や幅、厚さ等は、対象のノート型パソコンの重量等を考慮して、適宜決定することができる。
【００２４】
前記肩ベルトは、これを肩に掛けて、平板上に固定した前記ノート型パソコンを立った姿勢で、或いは屈んだ姿勢で使用できるようにする為のものであって、前記平板の対角線上の２箇所に掛けるものである。通常、右利きであるならば、その両端部の掛け金を、それぞれ前記平板の四隅の内、後端部左及び前端部右に固定金具を配しておき、これらに係止して使用する。また左利きの場合は、後端部右及び前端部左に固定金具を配しておき、これらに係止して使用するのが都合がよい。前記肩ベルトの材質や幅、厚さ等は、対象とするノート型パソコンの重量と、前記平板に載置するその他の機器の重量と、前記平板の重量とを考慮して、適宜決定することができる。また、該肩ベルトの長さは調節可能なように構成してあることが望ましい。
【００２５】
前記肩ベルトの両端の掛け金は、前記固定金具に着脱可能に掛けて止めることができるものであれば、その構成を問わない。また前記固定金具も、前記掛け金を掛けて固定することができるものであれば、特定の構成に限定されない。これは、例えば、中央部に掛止用の穴を開けた金属製或いは樹脂製板に構成することができる。この掛止用の穴に前記肩ベルトの端部に設けられた掛け金を係止するわけである。このような固定金具は、前記したように、前記平板の対応する二隅に取り付ける。勿論、四隅に取り付けておき、その内、使用者に取って都合の良い位置のそれを選択して使用するようにしても良い。
【００２６】
前記腰ベルトは、前記平板の前端部を下腹部に固定するものであって、前記肩ベルトと該腰ベルトとによって、立った姿勢或いは屈んだ姿勢で、前記平板を安定的に固定することが可能となる。前記腰ベルトの材質や幅、厚さ等は、対象とするノート型パソコンの重量と、前記平板に載置するその他の機器の重量と、前記平板の重量を考慮して、適宜決定することができる。また、該腰ベルトの長さは調節可能なように構成するのが望ましい。更に、バックル部などを具備して着脱可能なように構成することが望ましい。
【００２７】
前記腰ベルトの両端には、前記平板に掛けて固定する為の掛け金が設けられている。前記平板の前端被掛止部に、掛けて止めることができるものであれば、特定の構成に限定されない。
【００２８】
前記前端被掛止部は、前記腰ベルトの両端に設けられた掛け金を掛けて固定するためのものであって、前記掛け金が係止できるものであれば、特定の構成に限定されない。この前端被係止部は、前記平板の前端部の両側の２箇所に設けられる。
【００２９】
前記緩衝材は、前記平板を身体に装着したとき、前記平板の前端部が下腹部に当接し、使用するノート型パソコンの重量と、前記平板に載置するその他の機器の重量と、前記平板の重量とが印加され、長時間の使用では痛みを感じて来る虞がある。この緩衝材はこれを防止する為のものであって、その目的を達成可能な材質、大きさ等のものを適宜選択することができる。又このような目的を達成できる限り、取り付け方も自由である。
【００３０】
従って本考案の１のノート型パソコン用パレットによれば、前記平板上に対象のノート型パソコンを載置して、固定手段で該平板上に固定し、更に該平板を、肩ベルトで上方から支持し、かつ腰ベルトでその前端を腰部に固定することにより、立ったままの姿勢或いは屈んだ姿勢で該ノート型パソコンを水平状態に維持しつつスムーズに操作することが可能となる。このとき身体の動きにも特別の制限を受けない。
【００３１】
なお前記固定手段によるノート型パソコンの平板上への固定を若干説明すると、まず、前記固定片を、該ノート型パソコンのサイズに合わせ、かつコネクタ類やカードスロット等の位置を考慮して左右に動かし、更に該固定片の高さも調節して、該ノート型パソコンのこれらを被覆することのない背面の適切な位置に当接し得るようにする。他方、前記係止片の抱え得る寸法を該ノート型パソコンのディスプレーを開いた状態の前端の厚さに合うように調節し、更に該パソコンのサイズ等に対応させつつ突起等のない位置を選んで左右の適切な位置に動かした上で、該係止片で該ノート型パソコンの前端を係止し、かつ前記係止ベルトの長さを調節して、該係止片で該ノート型パソコンを前記固定片側に引っ張り、これに押し付ける。こうして該ノート型パソコンを、該固定片と該係止片とにより挟持状態に平板上に固定することになる。
【００３２】
本考案の２は、本考案１のノート型パソコン用パレットに於いて、前記係止ベルトを、前記係止片に結合するベルト端部と、これに連続し、前記平板の途中に前記レール部材と平行かつ略同一幅方向範囲に開口したスリット部を通じて該平板の裏面側に延長するベルト中央部と、前記平板の裏面側で該ベルト中央部の途中を係止してその長さを調節するアジャスタ部と、該アジャスタ部を通って開放されるベルト他端部と、該アジャスタ部を前記平板の幅方向に移動自在に支持する支持手段であって、該平板の裏面側後部に配した支持手段とで構成したものである。
【００３３】
即ち、前記係止ベルトは、ベルト端部とベルト中央部とアジャスタ部とベルト他端部とアジャスタ部を支持する支持手段とから構成され、前記係止片により係止した前記ノート型パソコンを、該係止ベルトにより前記固定片側に引っ張り、該係止片と該固定片との間で確実に挟持保持できるようにしたものである。
【００３４】
前記ベルト端部は前記係止片に固定する。前記ベルト中央部は、前記平板の略中央部に設けられた前記レール部材と平行かつ略同一幅方向範囲に開口したスリット部を通じて該平板の裏面側に延長し、かつ前記長さ調節用のアジャスタ部を通って自由端であるベルト他端部になるように構成されている。
【００３５】
前記アジャスタ部は、前記平板の裏面側に配置されており、前記係止ベルトの中間付近、即ち、ベルト中央部の途中でこれを長さ調節自在に固定できるようになっている。該アジャスタ部としては種々の構成が可能であるが、例えば、係止ベルトに強くテンションが掛かった場合に制動力が増加し、テンションが低下した場合に制動力が低下するような構成を採用することができる。そうすると、該アジャスタ部を通った前記係止ベルトは、ベルト他端部を引っ張ることによって、前記係止片を介して、前記ノート型パソコンを前記平板の後端部側に押すようになり、該ノート型パソコンはその背面部が前記固定片に押し当てられ、これ以上動けなくなる。こうして該係止ベルトのテンションが増加すると、該係止ベルトは前記アジャスタ部に固定され、ノート型パソコンもその状態で固定されることとなる。該アジャスタ部は、先に述べたように、前記平板の裏面側後部に配した支持手段で支持される。
【００３６】
前記ベルト他端部は、該アジャスタ部を通った前記係止ベルトの残りの部分の端部を指す。この端部を引っ張ることで、前記係止ベルトは前記アジャスタ部を通じて引っ張られ、その結果、前記係止片が前記平板の後端部の方向に移動することとなるものである。
【００３７】
前記スリット部は、前記平板に載置する前記ノート型パソコンの略下側となる中央部付近に前記レール部材と平行かつ略同一幅方向範囲に設けられた貫通溝であり、このスリット部を前記係止ベルトが通過し、該係止ベルトは前記平板の裏面に延長することとなる。なお、このスリット部は同一範囲内で複数に分けて設けることもできる。スリット部を複数形成する場合は、前記係止ベルトの数に合わせるのが適当である。
【００３８】
また前記支持手段は、前記のように、該アジャスタ部を前記平板の幅方向に移動自在に支持するものであり、例えば、両端で前記平板の裏面に固定したバー部材と、これにスライド自在に掛け渡したベルト部材等で構成することができる。該バー部材は、云うまでもなく、前記レール部材に平行に配する。該ベルト部材で前記アジャスタの本体部分を保持する。こうして該アジャスタ部は、平板の幅方向に自由に動かすことができる状態で支持されることになる。
【００３９】
従って本考案の２のノート型パソコン用パレットによれば、前記ノート型パソコンを、前記平板上で、前記固定片と前記係止片の間に簡単にかつ確実に固定することが可能となる。また使用するノート型パソコンの厚さに関わり無く固定することが可能である。更に前記係止片のノート型パソコンの幅方向の係止位置に応じて、該係止片から延長する係止ベルトを平板の幅方向に動かし、対応する幅方向の位置でスリット部を通過させ、かつその途中が係止するアジャスタ部を同様に平板の幅方向に動かして対応する幅方向の位置に調節することができる。それ故、平板上にノート型パソコンを一層確実に固定できることになる。
【００４０】
本考案の３は、本考案の１又は２のノート型パソコン用パレットに於いて、前記固定片に、前記ノート型パソコンの背面部との接触又は固定の際に該ノート型パソコンの背面部に破損が生じないように弾性部材を具備したものである。
【００４１】
前記弾性部材は、前記固定片の少なくとも当接面に配するものであり、例えば、板状のゴム部材等を用いることができる。前述の作用を有するものであれば形状には拘らない。
【００４２】
従って本考案の３のノート型パソコン用パレットによれば、前記ノート型パソコンの背面部と前記固定片との接触又は固定の際に、前記ノート型パソコンの背面部が破損することがないという効果を発揮する。
【００４３】
本考案の４は、本考案の１、２又は３のノート型パソコン用パレットに於いて、前記固定片の上部途中に、対象のノート型パソコンの背面部に位置するコネクタ類固定用のいずれかの雌ねじと螺合可能な固定用雄ねじ部材を回動自在に取り付けたものである。
【００４４】
従って本考案の４のノート型パソコン用パレットによれば、平板上に載置したノート型パソコンを該平板に固定する際に、該ノート型パソコンの背面のコネクタ類固定用のいずれか適当な雌ねじに対応させるように固定片を位置決めし、そうした上で、該固定片に配してある固定用雄ねじ部材を該ノート型パソコンの該当するコネクタ類固定用の雌ねじにねじ込み固定することができる。こうして本考案の４ノート型パソコン用パレットによれば、ノート型パソコンを単に固定片と係止片で挟持保持するに止まらず、更にその固定片を固定用雄ねじ部材で適当なコネクタ類固定用の雌ねじに結合することができるため、一層その固定が確実なものとなる。
【００４５】
本考案の５は、本考案の１、２、３又は４のノート型パソコン用パレットに於いて、前記緩衝材を、その中央部が使用状態で前記平板の前端側に凹んだ状態となり得るように折曲してある棒状部材と、これに被覆した緩衝外装とで構成し、該緩衝材の両端を前記平板の前端部両側に突出させた二本の腕片に回動自在に結合したものである。
【００４６】
従って本考案の５のノート型パソコン用パレットによれば、使用時には、該緩衝材を、その中央部が平板側に凹んだ状態になるようにしておくことにより、該部位を下腹部に弾力性を持って都合良く当接させ、長時間の使用でもこの部位に痛痒を感じないようにすることができる。他面、このノート型パソコン用パレットを持ち運ぶ際には、この緩衝材を１８０度回転させ、その中央部が平板の前端と反対側に膨らむようにすることにより、この緩衝材を取っ手として利用することが可能となる。
【００４７】
【考案の実施の形態】
以下、考案の実施の形態を実施例に基づき、かつ添付図を参照しつつ詳細に説明する。
【００４８】
＜実施例１＞
この実施例１のノート型パソコン用パレットは、図１〜図３に示すように、基本的に、ノート型パソコンを載置する平板１と、該平板１上に前記ノート型パソコンを固定する固定手段と、両端に掛け金３ａ、３ａが設けられた肩ベルト３と、前記平板１の二隅に設けられ該肩ベルト３の両端の掛け金３ａ、３ａを引掛ける固定金具４、４と、両端に掛け金５ａが設けられた腰ベルト５と、前記平板１の前端部両側に設けられ前記腰ベルト５の掛け金５ａを掛ける前端被掛止部６、６と、前記平板１の前端部の使用者の下腹部に当接する部分に配した緩衝材７とで構成したものである。
【００４９】
この実施例１では、前記ノート型パソコンを固定する固定手段は、基本的に、二つの固定片２ｂ、２ｂ、一つのレール部材２ａ、二つの係止片２ｃ、２ｃ及び二つの係止ベルト２ｄ、２ｄで構成した。それ故、当然、前記平板１の中央部付近に二つのスリット部１ａ、１ａを開口し、かつ前記平板１の裏面に二つのアジャスタ部２ｅ、２ｅを構成した。また二つのアジャスタ部２ｅ、２ｅを支持する支持手段としては、一つのバー部材２ｇと、これに掛け渡した二本のベルト部材２ｆ、２ｆを構成し、各ベルト部材２ｆ、２ｆでそれぞれ各アジャスタ部２ｅの連結バー２ｅ１に接続した。
【００５０】
前記平板１は、特に図１に示すように、対象のノート型パソコンより幅方向の寸法を大きくして、空いている右側のスペースにバーコードリーダやテンキーなどを置くようにした。厚さは１２ｍｍの木質ボードを採用した。平板１の裏面の四隅には、ゴム足１ｂ、１ｂ…を配した。これらは何らかの理由で平板１を机上又は床上その他の平坦な場所に一時的に置く場合に利用するものである。
【００５１】
前記固定手段は、前記し、かつ図１、図２（ａ）及び図３に示すように、前記平板１の後端部に配したレール部材２ａと、ノート型パソコンの背面部に当接してこれを支持する高さ調節自在な固定片２ｂ、２ｂと、該ノート型パソコンのディスプレイを開けたときの厚さでその前端部を係止し、その厚さ調節が自在に構成された係止片２ｃ、２ｃと、該係止片２ｃ、２ｃで係止したノート型パソコンを前記固定片２ｂ、２ｂ側に押し付けることにより、該ノート型パソコンを、前記平板１上に、該係止片２ｃ、２ｃ及び該固定片２ｂ、２ｂで挟持状態に保持するべく引っ張る係止ベルト２ｄとにより構成したものである。
【００５２】
前記レール部材２ａは、図２（ａ）に示すように、断面形状が略Ｃ字型の金属長尺部材で構成し、これを前記平板１の後端部に取り付けたものである。前記固定片２ｂ、２ｂは、図１、図２及び図３（ａ）に示すように、短冊形の金属板材で構成し、その上部内面にはかまぼこ型の緩衝ゴム材２ｂ１を配し、かつその下部中央には長さ方向に沿って長孔を開口したものである。前記レール部材２ａ中には、その内部にスライド自在に移動可能な二つのナット部材２ｂ３、２ｂ３を挿入し、これらとボルト部材２ｂ２、２ｂ２とで前記固定片２ｂ、２ｂをレール部材２ａ上を左右の自由な位置に移動して固定できるようにする。
【００５３】
前記二つの固定片２ｂ、２ｂの上記のような固定は、その各長孔及び該レール部材２ａの外面側に開口する横向きスリットを通じて該ボルト部材２ｂ２、２ｂ２の雄ねじ部を挿入し、更にこれらをそれぞれ対応するナット部材２ｂ３、２ｂ３に螺合することで行うことができる。また該ボルト部材２ｂ２、２ｂ２を緩めれば該ボルト部材２ｂ２、２ｂ２の雄ねじ部は長孔を通じてナット部材２ｂ３、２ｂ３に螺合しているため、固定片２ｂ、２ｂの高さ調節は可能となる。適当な高さまで引き上げ、又は引き下げた上で、再度、該ボルト部材２ｂ２、２ｂ２を締め付ければよいことは云うまでもない。
【００５４】
なお前記固定片２ｂ、２ｂの前記レール２ａへの固定の際には、その固定位置が、前記ノート型パソコンに付属しているＰＣカードスロットやＵＳＢ端子、各種出力端子等の部分に重なったり、放熱窓等を閉じるような位置にならないように注意すべきである。
【００５５】
前記緩衝ゴム材２ｂ１、２ｂ１は、前記のように、前記固定片２ｂ、２ｂの上部内面に配したものであるが、これは、ノート型パソコンを平板１上に載置して固定する際に、その背面に固定片２ｂ、２ｂが直接に当接してこれに損傷を生じさせるようなことがないように、緩衝作用を期待して取り付けたものである。
【００５６】
前記係止片２ｃ、２ｃは、ノート型パソコンのディスプレイを開けたときの厚さでその前端部を係止する部材であって、その厚さ調節が自在になるように構成したものである。また該係止片２ｃ、２ｃに係止した該前端部が容易に外れないようにも構成したものである。この係止片２ｃ、２ｃは、図４（ａ）、（ｂ）、（ｃ）に示すように、二枚の断面Ｌ字型の金属板を相互に対称となる位置に配すると共に、相互に相手方方向に延びる部分を重ね合わせて断面コ字型に形成し、その相互に重なり合う部分の両方に相互に一致すべく形成してある長孔２ｃ３、２ｃ３を通じて外側からボルト部材２ｃ１、２ｃ１の雄ねじ部を貫通させ、その内側に配してあるナット部材２ｃ２、２ｃ２に螺合締付することで構成したものである。
【００５７】
上記ボルト部材２ｃ１、２ｃ１を緩めれば、前記長孔２ｃ３、２ｃ３の略２倍弱の長さの範囲内でコ字型の係止部の間隔を拡縮することが可能であり、これによって種々のノート型パソコンの前端部の厚みに適切に対応し得ることになる。
【００５８】
前記係止ベルト２ｄ、２ｄは、図２に示すように、そのベルト端部２ｄ１、２ｄ１が前記係止片２ｃ、２ｃにそれぞれ固定してあり、これらに連続するベルト中央部２ｄ２、２ｄ２は、前記平板１の略中央部に開口した二つのスリット部１ａ、１ａを通じて該平板１の裏面側に延長し、ベルト他端部２ｄ３は、該平板１の裏面に取り付けられたアジャスタ部２ｅを通った先で開放されており、該ベルト他端部２ｄ３を引っ張ることで前記係止片２ｄが前記平板１の後端側に移動して前記ノート型パソコンが固定されるように構成したものである。
【００５９】
前記ベルト端部２ｄ１は、特に図４（ｃ）に示すように、前記係止片２ｃの平板１に接する側の部分に開口された係止スリット２ｃ４を通じてその内側から外側に引き出し、これを相互に重なり合う部分近傍の係止スリット２ｃ５を通じてその内側に引き込み、そのまま上昇させて反対側の部分に開口された係止スリット２ｃ６を通じてその外側に引き出し、更にその端部方向に引き出して端部で内側に折り返すと共に、端部近傍の係止スリット２ｃ７を通じて外側に引き出し、その上を通過している係止ベルト２ｄと該係止片２ｃの上側の部分との間を相互に重なり合う部分側に更に延長すると共に、重なり合う部分近傍の係止スリット２ｃ６を通じて内側に引き出すことにより、係止片２ｃに固定したものである。この固定は該係止ベルト２ｄにテンションが加わると、フリクションが大きくなり、固く保持されるものとなる。
【００６０】
前記スリット部１ａ、１ａは、前記平板１に載置する前記ノート型パソコンの略下側中央部に当たる付近に前記レール部材２ａと平行に形成された貫通溝であり、これらのスリット部１ａ、１ａを、前記のように、前記係止ベルト２ｄ、２ｄのベルト中央部２ｄ２、２ｄ２が通過するようになっている。該スリット部１ａ、１ａは、図１に示すように、その間の若干の幅を除いて、前記レール部材２ａの幅と同一の範囲をカバーする長孔であり、ここを貫通する係止ベルト２ｄ、２ｄはそれぞれその範囲で幅方向に自由に通過位置を変えることができる。
【００６１】
前記アジャスタ部２ｅは、図２（ａ）、（ｂ）に示し、かつ先に述べたように、前記平板１の裏面側後部に固設した支持手段で幅方向移動自在に支持してある。該支持手段は、その両端及び中間部を平板１に固設したバー部材２ｇと各々その両側の部分にスライド移動自在に掛け渡した２本のベルト部材２ｆ、２ｆとからなり、そのバー部材２ｇに掛け渡したベルト部材２ｆ、２ｆを、各アジャスタ部２ｅの後部側に構成した連結バー２ｅ１に各々更に掛け渡して連結してあるものである。各アジャスタ部２ｅは、それが結合した各ベルト部材２ｆ、２ｆの移動可能な範囲内で、即ち、該ベルト部材２ｆ、２ｆが掛け渡した該バー部材２ｇの中間部を挟むいずれかの側の範囲内で平板１の幅方向に自由に位置を変えることができる。
【００６２】
該アジャスタ部２ｅには、図２（ａ）、（ｂ）に示すように、その前部側の平板１の裏面から最も離れた位置にアジャストバー２ｅ２が固設してあり、他方、該平板１の裏面に最も近接する位置にアジャストエッジ部２ｅ３が形成してある。前記ベルト中央部２ｄ２から連続するベルト他端部２ｄ３は、これを、平板１の裏面側をその後端側に延長させ、該アジャスタ部２ｅの該平板１の裏面に面する側を通過させて前記アジャストバー２ｅ２に掛け渡すとともに、前記アジャストエッジ部２ｅ３側に引き回し、このアジャストエッジ部２ｅ３と平板１の裏面とに接して通過する係止ベルト２ｄの途中との間を通過させて、該平板１の前端側に引き出した状態とする。
【００６３】
ベルト他端部２ｄ３は、アジャスタ部２ｅへのこの係止状態で、係止ベルト２ｄのテンションが低ければ、緩んでいてアジャストエッジ部２ｅ３の部位に於ける係止ベルト２ｄの途中相互や該アジャストエッジ部２ｅ３とのフリクションも小さく制動があまり利かない。この状態からベルト他端部２ｄ３を平板１の前端側に引いて係止ベルト２ｄのテンションを高めると、前記部分のフリクションが大きくなり、制動が利き、確実な固定状態を確保できるようになる。
【００６４】
該アジャスタ部２ｅは、その平板１の前端側を向いている部分を下方に動かして、アジャストエッジ部２ｅ３を該平板１の裏面から浮かせると、その部位と係止ベルト２ｄの途中の該当部位及び係止ベルト２ｄの途中相互の圧接状態が緩むので、該係止ベルト２ｄの引き出し又は引き戻し等の調節が可能となる。
【００６５】
従って、該アジャスタ部２ｅを通った前記係止ベルト２ｄは、ベルト他端部２ｄ３を引っ張ることによって、ベルト端部２ｄ１に固定された前記係止片２ｃがこれで係止しているノート型パソコンを前記平板１の後端側に押しやり、該ノート型パソコンはその背面部が前記固定片２ｂに押し当てられ、その状態で固定されるようになっている。
【００６６】
前記肩ベルト３は、図１に示すように、前記平板１を肩に掛けてノート型パソコンを立った姿勢で、或いは屈んだ姿勢で使用できるようにする為のものであって、前記平板１の対角線上の２箇所に掛けて使用するようにしたものである。使用者が右利きの場合は、前記平板１の前端右と後端左の２箇所に掛けて使用する如くである。なお、図示していないが、該肩ベルト３の途中にはアジャスタを設けて長さ調節が自在になるように構成してある。
【００６７】
前記肩ベルト３の両端には、前記平板１の固定金具４に掛けて固定する為の掛け金３ａが設けてある。この掛け金３としては、ナスカンと呼ばれるものを採用した。
【００６８】
前記固定金具４は前記掛け金３ａを掛けて固定するものである。図１〜図３に示すように、中央部に結合孔を開口した金属板で構成したものであり、この結合孔に前記肩ベルト３の両端に設けられた掛け金３ａが係止される。この固定金具４は、図１に示すように、平板１の後端左側及び前端右側の側面側に固定してある。この実施例１のそれは右利き用として構成したものである。
【００６９】
前記腰ベルト５は、図１に示すように、前記平板１の前端部の両側に接続して該平板をその前端部で下腹部に固定するものであって、前記肩ベルト３と相まって、立った姿勢或いは屈んだ姿勢で、前記平板１を安定に下腹部に固定することが可能となる。なお、途中にバックル部５ｂを設けて長さ調節を自在にし、そして該腰ベルトの着脱を容易にしたものである。
【００７０】
前記腰ベルト５の両端には、前記平板１の前端被掛止部６、６に掛止して固定する為の掛け金５ａ、５ａが設けてある。この実施例では、掛け金５ａとして、Ｄカンと呼ばれるものを用いた。この掛け金５ａ、５ａは、前端被掛止部６、６に固定すると取り外しは不可能となる。
【００７１】
前記前端被掛止部６、６は、前記腰ベルト５の両端に設けられた掛け金５ａを掛けて固定するものである。この前端被係止部６は、図１に示すように、前記平板１の前端部の両側の２箇所に溝部を形成し、該溝部を塞ぐように取り付けた中央部を球にした金属の板からなるものである。なお該前端被掛止部６、６は、これに限らず、前記掛け金５ａが結合可能な構成であれば、自由に採用できる。
【００７２】
また前記緩衝材７は、前記平板１を身体に装着したときに、前記平板１の前端部が下腹部に当接し、使用するノート型パソコンの重量と、前記平板１に載置するその他の精密機器の重量と、前記平板１の重量が印加され、長時間の使用では痛みを感じて来るのを防止する為のものであって、図１、図２及び図３（ｂ）に示すように、平板１の前端のやや左側に配したものであり、中央部が若干凹み、両側に向かって徐々に突出する状態に取り付けられている。この緩衝材７は内部に発泡ポリウレタンを充填し、表面を合成皮革で覆ったものを用いた。
【００７３】
この実施例１のノート型パソコン用パレットの使用方法を以下に示す。
まず、このノート型パソコン用パレットの平板１を平らな所に置き、図５に示すように、対象のノート型パソコンｐのディスプレイｄを開く。係止片２ｃ、２ｃと固定片２ｂ、２ｂの幅方向の位置を決め、後者は、レール部材２ａ上を前記のようにして移動し、その位置に固定しておく。当然、固定片２ｂ、２ｂはその高さも該ノート型パソコンｐの背面の高さに合わせて調節しておく。その操作手順も先に述べたとおりである。
【００７４】
ディスプレイｄを開いた状態で、ノート型パソコンｐの前端部を係止片２ｃ、２ｃで係止する。云うまでもなく、その前に、係止片２ｃ、２ｃのコ字型の係止部の間隔を該ノート型パソコンｐの前端部の厚みに一致すべく調節しておく。その操作手順は先に述べた通りである。次いで、前記平板１の後端部のレール部材２ａ上の固定片２ｂ、２ｂに該ノート型パソコンｐの背面を押し当てるべく、その前端に係止している前記係止片２ｃ、２ｃを押し上げる。この段階で、必要に応じて固定片２ｃ、２ｃの位置を再調節する。
【００７５】
その後、係止ベルト２ｄのベルト他端部２ｄ３を引っ張ってその長さを調節し、アジャスタ部２ｅ、２ｅと係止片２ｃ、２ｃ間の係止ベルト２ｄのテンションを必要なだけ高め、図５に示すように、係止片２ｃ、２ｃと固定片２ｂ、２ｂとによる平板１上に於けるノート型パソコンｐの挟持保持状態を確実なものにすると共に、アジャスタ部２ｅ、２ｅに於ける係止ベルト２ｄ、２ｄの途中の係止状態を固定する。
【００７６】
その後、肩ベルト３を、左側では左肩の上を通し、右側では右脇の下を通し、その途中は背中を回すようにする。必要があればその長さを調節する。次いで、バックル部５ｂで分離して、二つになっている腰ベルト５を腰の後ろ側に回して該バックル部５ｂで連結する。必要があれば、その長さを調節する。
【００７７】
これでノート型パソコン用パレットへのノート型パソコンｐの取付及び使用者の身体への取付作業は完了である。この後は、これを使用したデータの記録作業等の作業を開始することができる。
【００７８】
従ってこの実施例１のノート型パソコン用パレットによれば、前記平板１にノート型パソコンを載置して固定し、肩ベルト３及び腰ベルト５を装着することにより、立ったままの姿勢或いは屈んだ姿勢でパソコンを操作することが可能である。しかも、これ自体、軽量・小型であって身体の動きも自由に取れることとなる。
【００７９】
＜実施例２＞
この実施例２のノート型パソコン用パレットは、実施例１のそれと緩衝材１７（対応する実施例１の緩衝材７）の構成の点を除いては殆ど同様である。他の構成にも若干の違いはあるが、実質的には同一と見なして良い程度の差であるので、概ねこの点に絞って説明する。実施例１の各構成要素と同一と見なせる構成要素は同一の符号が付してある。
【００８０】
図６（ａ）、（ｂ）に示すように、平板１の前端部の両側に腕部材（腕片）１１、１１を突出させ、これに緩衝材１７を取り付ける。該緩衝材１７は、中央部が使用状態で前記平板１の前端側に凹んだ状態になるように折曲してある棒状部材１７ａと、これをその両端付近を除いて被覆する緩衝外装１７ｂとで構成したものであり、前記棒状部材１７ａの両端で前記腕部材１１、１１の地側端部に回動自在に結合したものである。
【００８１】
前記棒状部材１７ａには、軽量で必要な強度を持ったアルミニウム合金製のパイプ材を採用し、その中央部で一方向に凹むように折曲したものである。これを前記のように、腕部材１１、１１に取り付けた状態で回転させれば、前記したように、前記平板１の前端部側に凹んだ状態にすることができる。
【００８２】
前記緩衝外装１７ｂは、実施例１の緩衝材７のそれと同様に、内部に発泡ポリウレタンを充填し、表面を合成皮革で覆ったものを採用し、これを前記棒状部材１７ａに被覆したものである。前記し、図６（ａ）、（ｂ）に示すように、棒状部材１７ａの両端付近には被覆しない。
【００８３】
なお該緩衝材１７の棒状部材１７ａの両端付近には、図６（ａ）、（ｂ）に示すように、その中央部が平板１側に凹む使用状態で、手前側に位置させて腰ベルト５の両端のフックを係止する係止環１６、１６が配してあり、更に右側の腕部材１１の外側に肩ベルト３の掛け金３ａを係止するための係止環１４が固設してある。対応する係止環１４が平板１の後端側左側部に同様に固設してある。
【００８４】
従ってこの実施例２のノート型パソコン用パレットによれば、使用時には、該緩衝材１７を回転させ、図６（ａ）に実線で示してあるように、その中央部が平板１側に凹んだ状態になるようにしておけば、該部位を下腹部に緩衝作用をともなって当接させ、長時間の使用でもこの部位に痛痒を感じさせないようにすることができる。他方、不使用時に、これを持ち運ぶ際には、この緩衝材１７を１８０度回転させ、その中央部が図６（ａ）に二点差線で示すように、平板の前端と反対側に膨らむようにすることにより、この緩衝材１７を取っ手として利用することが可能となる。
【００８５】
なお前記腰ベルト５は、これを腰に回してその両端のフックを前記係止環１６、１６に係止して平板１の固定用に使用することができる。実施例１のそれと同様である。また肩ベルト３は、その端部の掛け金３ａ、３ａをそれぞれ前記係止環１４、１４に係止することにより、実施例１の肩ベルト３と全く同様に使用することができる。
【００８６】
【考案の効果】
本考案の１のノート型パソコン用パレットによれば、前記平板に種々な大きさ及び厚みのノート型パソコンを載置して確実に固定し、かつ前記平板を肩ベルトで肩に掛けそして腰ベルトで下腹部付近に固定することにより、使用者のこの位置に確実に固定して、立ったままの姿勢或いは屈んだ姿勢でパソコンを操作することが容易に行い得られる。肩ベルトを平板に対して対角線上に係止できるようにしたため、利き腕側ではこれを脇の下を通過させるようにすることにより、その操作性を高めたものでもある。またこれ自体、軽量・小型であり、かつ上記のような構成であるため、これを腰部に取り付けた状態でも、身体の動きに無用の制限を受けず自由な動作を確保できる。
【００８７】
本考案の２のノート型パソコン用パレットによれば、前記ノート型パソコンを、前記平板上で、前記固定片と前記係止片の間に簡単にかつ確実に固定することが可能となる。また使用するノート型パソコンの大きさ及び厚さに関わり無く固定することが可能である。また前記固定片及び係止片を平板の幅方向に自由に移動させて固定することができるので、パソコンの端子、カードスロット、ＣＰＵの放熱窓等を被覆してその使用を妨げたり、その機能を妨げることなく、これを支持することが可能である。
【００８８】
本考案の３のノート型パソコン用パレットによれば、前記ノート型パソコンの背面部と前記固定片との接触又は固定の際に、前記ノート型パソコンの背面部が破損することがないという効果を発揮する。
【００８９】
本考案の４のノート型パソコン用パレットによれば、単に固定片と係止片で挟持保持するに止まらず、固定片では固定用雄ねじ部材で適当なコネクタ類固定用の雌ねじとの結合を図ることができるため、一層その固定が確実なものとなる。
【００９０】
本考案の５のノート型パソコン用パレットによれば、前記緩衝材は、該パレットの使用時には、文字通り、当接する下腹部を保護する緩衝作用を果たし得るものとなると共に、不使用時で、これを持ち運ぶような場合には、取っ手として使用できるもともなるものである。
【図面の簡単な説明】
【図１】実施例１のノート型パソコン用パレットの一部切欠概略平面説明図。
【図２】（ａ）は実施例１のノート型パソコン用パレットの一部断面概略側面拡大説明図。
（ｂ）は（ａ）のＡ部拡大図。
【図３】（ａ）は実施例１のノート型パソコン用パレットの概略背面説明図。
（ｂ）は実施例１のノート型パソコン用パレットの概略正面説明図。
【図４】（ａ）は実施例１の係止片の拡大平面図。
（ｂ）は実施例１の係止片の拡大正面図。
（ｃ）は実施例１の係止片の係止ベルトを取り付けた状態の拡大側面図。
【図５】平板上にノート型パソコンを取り付けた状態の実施例１のノート型パソコン用パレットの概略側面説明図。
【図６】（ａ）は実施例２のノート型パソコン用パレットの主要部の平面図。
（ｂ）は実施例２のノート型パソコン用パレットの主要部の正面図。
【符号の説明】
１　平板
１ａ　スリット部
１ｂ　ゴム足
２ａ　レール部材
２ｂ　固定片
２ｂ１　緩衝ゴム材
２ｂ２　ボルト部材
２ｂ３　ナット部材
２ｃ　係止片
２ｃ１　ボルト部材
２ｃ２　ナット部材
２ｃ３　長孔
２ｄ　係止ベルト
２ｄ１　ベルト端部
２ｄ２　ベルト中央部
２ｄ３　ベルト他端部
２ｃ４、２ｃ５、２ｄ６、２ｄ７　係止スリット
２ｅ　アジャスタ部
２ｅ１　連結バー
２ｅ２　アジャストバー
２ｅ３　アジャストエッジ部
２ｆ　ベルト部材
２ｇ　バー部材
３　　肩ベルト
３ａ　掛け金
４　　固定金具
５　　腰ベルト
５ａ　掛け金
５ｂ　バックル部
６　　前端被掛止部
７　　緩衝材
１１　腕部材
１４　係止環
１６　係止環
１７　緩衝材１７
１７ａ　棒状部材
１７ｂ　緩衝外装
ｐ　　ノート型パソコン
ｄ　　ディスプレイ
【図１】
0003098651.tif 000003
【図２】
0003098651.tif 000004
【図３】
0003098651.tif 000005
【図４】
0003098651.tif 000006
【図５】
0003098651.tif 000007
【図６】
0003098651.tif 000008